(57)【特許請求の範囲】
【請求項１】
第１係止部を有する環状部材と、
前記第１係止部を係止する第２係止部を有するベース部材と、
前記環状部材と前記ベース部材との間に挟みこまれ、内周面から径方向内側に向かって突出する凸部を有し、前記環状部材および前記ベース部材の外周側に配置される環状の被固定部材と、
を備え、
前記被固定部材は、前記ベース部材の前記第２係止部を内周側に露出させる開口部を有している、
レンズ鏡筒。
【請求項２】
前記開口部は、前記被固定部材の前記凸部に形成された前記レンズ鏡筒の光軸方向に貫通した開口部であり、
前記ベース部材の前記第２係止部は、前記開口部に挿入されて、前記環状部材の前記第１係止部と係合する、
請求項１に記載のレンズ鏡筒。
【請求項３】
前記第１係止部は、前記環状部材の外周面において、所定の間隔をあけて複数設けられている、
請求項１または２に記載のレンズ鏡筒。
【請求項４】
前記第２係止部は、前記ベース部材の内周面において、所定の間隔をあけて複数設けられている、
請求項１から３のいずれか１項に記載のレンズ鏡筒。
【請求項５】
前記第１係止部および前記第２係止部は、雄ねじおよび雌ねじの組み合わせである、
請求項１から４のいずれか１項に記載のレンズ鏡筒。
【請求項６】
前記環状部材は、前記第１係止部が前記第２係止部と螺合するねじ部分に第１突起を有し、
前記ベース部材は、前記第２係止部が前記第１係止部と螺合するねじ部分に第２突起を有し、
前記環状部材が前記ベース部材に対して係止された状態において、前記第１突起と前記第２突起とが係合して、前記環状部材の前記ベース部材に対する回転方向における移動を規制する、
請求項５に記載のレンズ鏡筒。
【請求項７】
前記環状部材は、前記第１係止部が前記第２係止部と螺合するねじ部分に第３突起を有し、
前記ベース部材は、前記第２係止部が前記第１係止部と螺合するねじ部分に第４突起を有し、
前記環状部材が前記ベース部材に対して係止された状態において、前記第３突起と前記第４突起とが当接して、前記環状部材の前記ベース部材に対する光軸方向における移動を規制する、
請求項５または６に記載のレンズ鏡筒。
【請求項８】
前記被固定部材は、光学フィルタが取り付けられたフィルタリングである、
請求項１から７のいずれか１項に記載のレンズ鏡筒。
【発明の詳細な説明】
【技術分野】
【０００１】
本開示は、レンズ鏡筒に関する。
【背景技術】
【０００２】
レンズ鏡筒には、光軸方向に沿って複数のレンズ群が配置されている。そして、これらのレンズ群は、別々のレンズ枠にそれぞれ取り付けられている。
【０００３】
例えば、特許文献１には、回動リング（被固定部材）が、基座（ベース部材）と内環との間に挟まれた状態で、ねじ止めによって固定されたカメラのレンズの構造について開示されている。
【先行技術文献】
【特許文献】
【０００４】
【特許文献１】実開平０６−０７６９４４号公報
【発明の概要】
【発明が解決しようとする課題】
【０００５】
しかしながら、上記従来のレンズ鏡筒では、以下に示すような問題点を有している。
【０００６】
すなわち、上記公報に開示されたレンズの構造では、被固定部材をベース部材に対してビス止めによって固定しているため、被固定部材にビス穴を設ける必要がある。よって、レンズ鏡筒の径方向における寸法が大きくなるおそれがある。
【０００７】
本開示の課題は、径方向における寸法を小さくすることが可能なレンズ鏡筒を提供することにある。
【課題を解決するための手段】
【０００８】
本開示に係るレンズ鏡筒は、環状部材と、ベース部材と、環状の被固定部材と、を備えている。環状部材は、第１係止部を有する。ベース部材は、第１係止部を係止する第２係止部を有する。環状の被固定部材は、環状部材とベース部材との間に挟みこまれ、内周面から径方向内側に向かって突出する凸部を有し、環状部材およびベース部材の外周側に配置される。そして、被固定部材は、ベース部材の第２係止部を内周側に露出させる開口部を有している。
【発明の効果】
【０００９】
本開示に係るレンズ鏡筒によれば、径方向における寸法を小さくすることができる。
【図面の簡単な説明】
【００１０】
【図１】本開示の一実施形態に係るレンズ鏡筒の構成を示す全体斜視図
【図２】図１のレンズ鏡筒の被写体側の部分を構成する各部品の分解斜視図
【図３】図１のレンズ鏡筒の被写体側に配置された主要部品の構成を示す分解斜視図
【図４】図３の主要部品に含まれるフィルタリング押さえの構成を示す斜視図
【図５Ａ】図４のフィルタリング押さえの側面図
【図５Ｂ】図５Ａの５Ｂ−５Ｂ線矢視断面図
【図６Ａ】図３の主要部品に含まれるフィルタリングの構成を示す斜視図
【図６Ｂ】図３の主要部品に含まれるフィルタリングの構成を示す平面図
【図７】図３の主要部品に含まれるＯＩＳベース枠の構成を示す斜視図
【図８Ａ】図７のＯＩＳベース枠の平面図
【図８Ｂ】図８Ａの８Ｂ−８Ｂ線矢視断面図
【図９Ａ】図３の主要部品を組み立てた構成を被写体側から見た図
【図９Ｂ】図９Ａの９Ｂ−９Ｂ線矢視断面図
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、出願人は、当業者が本開示を十分に理解するために添付図面および以下の説明を提供するのであって、これらによって特許請求の範囲に記載の主題を限定することを意図するものではない。
【００１３】
（実施形態１）
本開示の一実施形態に係るレンズ鏡筒１０について、図１〜図９Ｂを用いて説明すれば以下の通りである。
【００１４】
＜レンズ鏡筒１０全体の構成＞
本実施形態に係るレンズ鏡筒１０は、図１に示すように、カメラ本体（図示せず）に対して着脱可能なレンズユニットである。そして、レンズ鏡筒１０は、外観視において、光軸Ｘ方向における被写体側から、フィルタリング押さえ１１、第１レンズＬ１、フィルタリング１２、前枠１４、フォーカスリング２５、後枠２６を備えている。
【００１５】
ここで、レンズ鏡筒１０を構成する部品のうち、光軸方向における被写体側の部分を構成する主要部品は、図２に示すように配置されている。
【００１６】
具体的には、光軸Ｘ方向における被写体側から見て、フィルタリング押さえ（環状部材）１１、フィルタリング（被固定部材）１２、防塵リング１３、前枠１４、第１レンズＬ１、１ａ群レンズ枠１５、第２レンズＬ２、第３レンズＬ３、１ｂ群レンズ枠１６、ＯＩＳベース枠（ベース部材）１７、ＯＩＳ回動軸１８、ＯＩＳバネ１９、ＯＩＳボール２０、ＯＩＳレンズ枠２１、ＯＩＳマグネット２２、絞りユニット２３、および固定枠２４が、順に配置されている。
【００１７】
なお、図２では、レンズ鏡筒１０に含まれる１０枚のレンズのうち、第１〜第６レンズＬ１〜Ｌ６までしか示されていないが、光軸Ｘ方向における被写体側から見て第６レンズＬ６の背面側に残りの第７〜第１０レンズが配置されているものとする。また、上記ＯＩＳとは、カメラ本体のブレを相殺する方向に補正レンズ（第４レンズＬ４）を駆動して被写体像の振れを低減する、いわゆる手振れ補正機構（Ｏｐｔｉｃａｌ  Ｉｍａｇｅ  Ｓｔａｂｉｌｉｚｅｒ）を意味している。
【００１８】
フィルタリング押さえ（環状部材）１１は、図２に示すように、光軸Ｘ方向における最も被写体側に配置される環状の部材である。そして、フィルタリング押さえ１１は、図３に示すように、ＯＩＳベース枠１７との間に、フィルタリング１２の一部を挟みこむように配置されている。なお、フィルタリング押さえ１１の詳細な構成については、後段にて詳述する。
【００１９】
フィルタリング１２は、図１に示すように、レンズ鏡筒１０の外郭の一部を構成する環状の部材である。そして、フィルタリング１２は、光学フィルタが取り付けられるようになっており、図２に示すように、光軸Ｘ方向において、フィルタリング押さえ１１と前枠１４との間に配置されている。そして、フィルタリング１２は、後述する固定構造によって、フィルタリング押さえ１１とＯＩＳベース枠１７との間に挟まれるように固定される。
【００２０】
なお、フィルタリング１２の詳細な構成については、後段にて詳述する。
【００２１】
防塵リング１３は、外装部材と内部との間に形成された隙間を埋めるために、フィルタリング１２と１ａ群レンズ枠１５との間に設けられている。これにより、レンズ鏡筒１０の外部からチリや埃が侵入することを防止している。
【００２２】
前枠１４は、図２に示すように、光軸Ｘ方向における被写体側から見て、フィルタリング１２の背面側に配置されている。そして、前枠１４は、光軸Ｘ方向における被写体側とは反対側から、フィルタリング１２に対してビス止めによって固定される。
【００２３】
また、前枠１４は、図１に示すように、フィルタリング１２とＯＩＳベース枠１７とが接続された部分を外周側から覆うように配置されている。
【００２４】
１ａ群レンズ枠１５は、図２に示すように、第１レンズＬ１が取り付けられており、ＯＩＳベース枠１７に対して、第１レンズＬ１の光軸調整が可能な状態で固定される。
【００２５】
１ｂ群レンズ枠１６は、図２に示すように、第２レンズＬ２および第３レンズＬ３が取り付けられている。そして、１ｂ群レンズ枠１６は、１ａ群レンズ枠１５と同様に、ＯＩＳベース枠１７に対して、第２レンズＬ２および第３レンズＬ３の光軸調整が可能な状態で固定される。
【００２６】
ＯＩＳベース枠１７は、図２に示すように、略円筒状の部材であって、光軸Ｘ方向における被写体側の面において、１ａ群レンズ枠１５と１ｂ群レンズ枠１６とを光軸調整可能な状態で保持する。また、ＯＩＳベース枠１７は、光軸Ｘ方向において、ＯＩＳレンズ枠２１の被写体側に配置されている。
【００２７】
さらに、ＯＩＳベース枠１７は、図３に示すように、光軸Ｘ方向における被写体側に配置されたフィルタリング１２を、フィルタリング押さえ１１とともに挟み込むようにして固定する。
【００２８】
なお、ＯＩＳベース枠１７の詳細な構成については、後段にて詳述する。
【００２９】
ＯＩＳ回動軸１８は、図２に示すように、ＯＩＳベース枠１７に対して固定されており、アクチュエータによって光軸Ｘ方向に垂直な平面内において駆動されるＯＩＳレンズ枠２１の回動中心となる。
【００３０】
ＯＩＳバネ１９は、図２に示すように、ＯＩＳベース枠１７とＯＩＳレンズ枠２１との間に３つ設けられている。そして、ＯＩＳバネ１９は、弾性力を活用して、ＯＩＳ回動軸１８を中心に回動可能な状態で、ＯＩＳベース枠１７においてＯＩＳレンズ枠２１を支持する。
【００３１】
ＯＩＳボール２０は、図２に示すように、ＯＩＳベース枠１７とＯＩＳレンズ枠２１との間に３つ設けられている。
【００３２】
ＯＩＳレンズ枠２１は、図２に示すように、第４レンズＬ４が取り付けられている。そして、ＯＩＳレンズ枠２１は、アクチュエータ（絞りユニット２３に設けられたコイル２３ａ）の駆動力を受けて、ＯＩＳ回動軸１８を中心にして回動し、光軸Ｘ方向に対して垂直な平面内において移動することで、光学的に像ぶれを補正する。
【００３３】
ＯＩＳマグネット２２は、図２に示すように、ＯＩＳレンズ枠２１の背面側に配置されている。
【００３４】
絞りユニット２３は、図示しないカメラ本体側に設けられた撮像素子に入射する光の量を調整する光学部品であって、図２に示すように、ＯＩＳマグネット２２が取り付けられたＯＩＳレンズ枠２１の背面と固定枠２４との間に設けられている。
【００３５】
固定枠２４は、図２に示すように、円筒状の部材であって、光軸Ｘ方向における被写体側とは反対側の底面に第５レンズＬ５および第６レンズＬ６が取り付けられている。また、固定枠２４は、ＯＩＳレンズ枠２１、ＯＩＳマグネット２２、および絞りユニット２３等を内周面側において内包している。
【００３６】
次に、本実施形態のレンズ鏡筒１０における主要な構成であるフィルタリング押さえ１１、フィルタリング１２、およびＯＩＳベース枠１７の構成について、以下で詳細に説明する。
【００３７】
（フィルタリング押さえ１１）
フィルタリング押さえ１１は、図４、図５Ａおよび図５Ｂに示すように、本体部１１ａ、雄ネジ部（第１係止部）１１ｂ、ネジ非形成部１１ｃ、突起（第１突起）１１ｄ、突起（第３突起）１１ｅ、および端面１１ｆを有している。
【００３８】
本体部１１ａは、図４に示すように、環状の部材の外周面に、雄ネジ部１１ｂ、ネジ非形成部１１ｃ、突起１１ｄ、および突起１１ｅが設けられている。
【００３９】
雄ネジ部（第１係止部）１１ｂは、フィルタリング押さえ１１を後述するＯＩＳベース枠１７に対して固定するために設けられたネジ溝であって、図４に示すように、本体部１１ａの外周面における周方向に沿って形成されている。そして、雄ネジ部１１ｂは、本体部１１ａの外周面に、周方向において所定の間隔をあけて３箇所に設けられている。また、雄ネジ部１１ｂは、後述するＯＩＳベース枠１７の壁部１７ｂの内周面側に形成された雌ネジ部１７ｃと螺合する。
【００４０】
ネジ非形成部１１ｃは、図４に示すように、本体部１１ａの外周面における３箇所に設けられた雄ネジ部１１ｂの間に形成される。ネジ非形成部１１ｃは、ネジ溝が形成されていない外周面の部分である。そして、フィルタリング押さえ１１は、ＯＩＳベース枠１７に対して固定される際に、最初に、ネジ非形成部１１ｃがＯＩＳベース枠１７側の雌ネジ部１７ｃと対向する向きになるように位置合わせした状態で挿入される。
【００４１】
これにより、雄ネジ部１１ｂと雌ネジ部１７ｃとを螺合させる直前の状態において、光軸方向において互いに接触してしまうことを回避することができる。また、ネジ非形成部１１ｃが設けられていることにより、雄ネジ部１１ｂと雌ネジ部１７ｃとを螺合させる直前の状態から、少ない回転角度で容易に固定することができる。
【００４２】
突起（第１突起）１１ｄは、図５Ｂに示すように、本体部１１ａの外周面側に１箇所、径方向外側に向かって突出するように形成されている。また、突起１１ｄは、図４に示すように、本体部１１ａの外周面における雄ネジ部１１ｂの光軸Ｘ方向の被写体側に隣接する位置に形成されている。
【００４３】
突起（第３突起）１１ｅは、突起１１ｄと同様に、図５Ｂに示すように、本体部１１ａの外周面側に１箇所、径方向外側に向かって突出するように形成されている。また、突起１１ｅは、図４に示すように、突起１１ｄが隣接配置された雄ネジ部１１ｂとは異なる雄ネジ部１１ｂの光軸Ｘ方向の被写体側に隣接する位置に形成されている。
【００４４】
ここで、フィルタリング押さえ１１側の雄ネジ部１１ｂがＯＩＳベース枠１７側の雌ネジ部１７ｃ（図７参照）に対して螺合させる際には、フィルタリング押さえ１１をＯＩＳベース枠１７に対して回転させる。
【００４５】
このとき、突起１１ｄは、後述するＯＩＳベース枠１７側の雌ネジ部１７ｃに隣接する位置に形成された突起（第２突起）１７ｅ（図７参照）を乗り越えた位置へ移行する。これにより、フィルタリング押さえ１１は、逆方向への回転が規制されるため、フィルタリング押さえ１１による固定が緩んでしまうことを防止することができる。つまり、突起１１ｄは、フィルタリング押さえ１１の回転方向における緩み止めとして機能する。
【００４６】
さらに、フィルタリング押さえ１１がＯＩＳベース枠１７に対して固定された状態では、突起１１ｅが、光軸Ｘ方向に垂直な平面において、ＯＩＳベース枠１７側の突起１７ｆ（図７参照）に対して当接した状態となる。これにより、フィルタリング押さえ１１がＯＩＳベース枠１７に対して固定される際に、所定の固定位置よりも光軸Ｘ方向において、奥側にねじ込まれ過ぎることを防止することができる。つまり、突起１１ｅは、ねじ込み方向（光軸Ｘ方向）におけるストッパとして機能する。
【００４７】
端面１１ｆは、図４および図５Ａに示すように、本体部１１ａにおける光軸Ｘ方向において被写体側とは反対側、つまり、ＯＩＳベース枠１７に挿入される側に形成された面である。端面１１ｆは、後述するフィルタリング１２の固定構造において、ＯＩＳベース枠１７の一部との間に、フィルタリング１２の一部（内周凸部１２ｂ）を挟み込んで固定する。
【００４８】
（フィルタリング１２）
フィルタリング（被固定部材）１２は、図３に示すように、ビス等を用いることなく、フィルタリング押さえ１１とＯＩＳベース枠１７との間に固定される環状の部材である。そして、フィルタリング１２は、本体部１２ａ、内周凸部（凸部）１２ｂ、および開口部（開口部）１２ｃを有している。
【００４９】
本体部１２ａは、図６Ａおよび図６Ｂに示すように、環状の部材であって、本体部１２ａの内周面側には、内周凸部１２ｂと、開口部１２ｃとが設けられている。
【００５０】
内周凸部１２ｂは、本体部１２ａの内周面における光軸Ｘ方向の被写体側とは反対側の端部から径方向内側に向かって突出するように、３箇所に分けて形成されている。そして、３つの内周凸部１２ｂにおける本体部１２ａの内周面と連結された根元部分には、それぞれ光軸Ｘ方向に貫通した開口部１２ｃが形成されている。
【００５１】
開口部１２ｃは、図６Ａおよび図６Ｂに示すように、３つの内周凸部１２ｂのそれぞれにおいて周方向に沿って形成されている。また、開口部１２ｃは、開口の周方向における長さがそれぞれ異なるように形成されている。そして、開口部１２ｃは、後述するＯＩＳベース枠１７の壁部１７ｂが挿入される。
【００５２】
これにより、壁部１７ｂに形成された雌ネジ部１７ｃを、本体部１２ａの内周面側に露出させることができる。よって、フィルタリング１２の内周側に挿入されるフィルタリング押さえ１１の雄ネジ部１１ｂを、内周面側に露出した雌ネジ部１７ｃと螺合させることで、フィルタリング押さえ１１をＯＩＳベース枠１７に対して固定することができる。
【００５３】
この結果、互いに固定されるフィルタリング押さえ１１とＯＩＳベース枠１７との間に配置されたフィルタリング１２を、ビス等を用いることなく固定することができる。
【００５４】
なお、このフィルタリング１２の固定構造については、後段にて詳述する。
【００５５】
（ＯＩＳベース枠１７）
ＯＩＳベース枠（ベース部材）１７は、図３および図７に示すように、略円筒状の部材であって、本体部１７ａ、壁部１７ｂ、雌ネジ部１７ｃ、載置部１７ｄ、突起１７ｅ、および突起１７ｆを有している。
【００５６】
本体部１７ａは、円板状の中心部分に、円形の開口１７ａｂが形成されている。
【００５７】
壁部１７ｂは、図７に示すように、円板状の本体部１７ａの外周寄りの位置から、光軸Ｘ方向における被写体側に向かって立設されている。また、壁部１７ｂは、周方向において、３箇所に設けられている。さらに、壁部１７ｂは、周方向における長さがそれぞれ異なるように形成されている。
【００５８】
雌ネジ部（第２係止部）１７ｃは、図７に示すように、壁部１７ｂの内周面に形成されたネジ溝であって、本体部１７ａにおける周方向に沿って所定の間隔をあけて３箇所に設けられている。そして、雌ネジ部１７ｃは、上述したフィルタリング押さえ１１の外周面に形成された雄ネジ部１１ｂと螺合する。
【００５９】
ここで、壁部１７ｂは、上述したフィルタリング１２の内周凸部１２ｂの根元部分に形成された開口部１２ｃに挿入される。このとき、壁部１７ｂの内周面に形成された雌ネジ部１７ｃは、フィルタリング１２の内周面側に露出した状態となる。
【００６０】
また、３つの壁部１７ｂは、周方向における長さがそれぞれ異なるように形成されている。それぞれの周方向長さは、上述したフィルタリング１２側に設けられた開口部１２ｃの周方向長さに合わせて設定されている。
【００６１】
これにより、ＯＩＳベース枠１７に対してフィルタリング１２を取り付ける際に、周方向に置ける位置決めを実施することができる。
【００６２】
載置部１７ｄは、図７に示すように、本体部１７ａにおける最外周部分から径方向外側に突出するように形成されている。そして、載置部１７ｄには、上述した１ａ群レンズ枠１５の一部が載置される。
【００６３】
孔部１７ｄａは、図７および図８Ａおよび図８Ｂに示すように、載置部１７ｄにおける光軸Ｘに垂直な面に形成された貫通穴である。孔部１７ｄａには、載置部１７ｄに載置された１ａ群レンズ枠１５の一部を、固定枠２４に対して固定するためのピンが挿入される。
【００６４】
突起（第２突起）１７ｅは、図７および図８Ａに示すように、３つの壁部１７ｂのうちの１つの壁部１７ｂの内周面に形成された雌ネジ部１７ｃの光軸Ｘ方向における被写体側に隣接して形成されている。また、突起１７ｅは、壁部１７ｂの内周面から径方向内側に向かって突出するように形成されている。
【００６５】
突起（第４突起）１７ｆは、図７および図８Ｂに示すように、３つの壁部１７ｂのうちの１つの壁部１７ｂの内周面に形成された雌ネジ部１７ｃの光軸Ｘ方向における被写体側に隣接して形成されている。また、突起（第４突起）１７ｆは、突起１７ｅが形成された壁部１７ｂとは異なる壁部１７ｂの内周面に形成されている。また、突起１７ｆは、突起１７ｅと同様に、壁部１７ｂの内周面から径方向内側に向かって突出するように形成されている。
【００６６】
なお、フィルタリング押さえ１１側の雄ネジ部１１ｂがＯＩＳベース枠１７側の雌ネジ部１７ｃに対して螺合させて固定した際の、突起１１ｄと突起１７ｅとによる回転方向における緩み止め機能については上述した通りである。
【００６７】
さらに、突起１１ｅと突起１７ｆとが当接することによるねじ込み方向（光軸Ｘ方向）におけるストッパ機能についても、上述した通りである。
【００６８】
＜フィルタリング１２の固定構造＞
本実施形態のレンズ鏡筒１０では、図３に示すように、フィルタリング１２が、ビス等を用いることなく、ＯＩＳベース枠１７に対して固定される。
【００６９】
なお、図３では、フィルタリング１２とＯＩＳベース枠１７との間に部材が配置されていないが、実際には、図２に示すように、１ａ群レンズ枠１５、１ｂ群レンズ枠１６等が配置されている。ここでは、説明の便宜上、フィルタリング押さえ１１、フィルタリング１２、ＯＩＳベース枠１７以外の構成は省いて説明する。
【００７０】
すなわち、レンズ鏡筒１０では、図９Ａに示すように、ＯＩＳベース枠１７に対して、フィルタリング１２とフィルタリング押さえ１１を組み込んだ状態において、フィルタリング押さえ１１とＯＩＳベース枠１７との間にフィルタリング１２が挟み込まれるように固定される。
【００７１】
具体的には、図９Ｂに示すように、これらの部材が組み込まれた状態では、フィルタリング１２の内周面に設けられた内周凸部１２ｂに形成された開口部１２ｃ内にＯＩＳベース枠１７の壁部１７ｂが挿入されている。
【００７２】
このとき、壁部１７ｂの内周面に形成された雌ネジ部１７ｃには、光軸Ｘ方向における被写体側から挿入されるフィルタリング押さえ１１の雄ネジ部１１ｂが螺合して固定される。
【００７３】
この固定状態では、図９Ｂに示すように、フィルタリング押さえ１１の端面１１ｆが、ＯＩＳベース枠１７における光軸Ｘ方向に垂直な面との間に、フィルタリング１２の内周凸部１２ｂの一部を挟み込むようにして配置される。
【００７４】
これにより、フィルタリング１２は、光軸Ｘ方向における移動が規制されるため、ビス等を用いることなく、ＯＩＳベース枠１７に対して固定することができる。よって、フィルタリング１２およびＯＩＳベース枠１７ともに、ビス穴等を設けるスペースが不要となるため、レンズ鏡筒１０の径方向における寸法を従来よりも小さくすることができる。
【００７５】
（他の実施形態）
以上、本開示の一実施形態について説明したが、本開示は上記実施形態に限定されるものではなく、開示の要旨を逸脱しない範囲で種々の変更が可能である。
【００７６】
（Ａ）
上記実施形態では、フィルタリング押さえ１１をＯＩＳベース枠１７に対して固定するための第１・第２係止部として、雄ネジ部１１ｂと雌ネジ部１７ｃとを用いた例を挙げて説明した。しかし、本開示はこれに限定されるものではない。
【００７７】
例えば、樹脂製の部品の弾性変形を利用して、挿入時に弾性変形させながら挿入して所定の固定箇所において係止される構造を、ネジの代わりに用いてもよい。
【００７８】
（Ｂ）
上記実施形態では、フィルタリング１２側の開口部１２ｃおよびＯＩＳベース枠１７側の壁部１７ｂともに、周方向において所定の間隔をあけて３箇所に設けられている例を挙げて説明した。しかし、本開示はこれに限定されるものではない。
【００７９】
例えば、上記開口部１２ｃと壁部１７ｂとが周方向において１箇所ずつ設けられた構成であってもよい。あるいは、上記開口部１２ｃと壁部１７ｂとが周方向において２箇所、または４箇所以上設けられていてもよい。
【００８０】
この場合でも、ＯＩＳベース枠に対するフィルタリングの径方向および周方向における位置決めを実施することができる。
【００８１】
（Ｃ）
上記実施形態では、ＯＩＳベース枠１７側の壁部１７ｂが挿入されて壁部１７ｂの内周面に形成された雌ネジ部１７ｃをフィルタリング１２の内周面側に露出させるために、フィルタリング１２側に開口部１２ｃを設けた例を挙げて説明した。しかし、本開示はこれに限定されるものではない。
【００８２】
例えば、開口部の代わりに、切欠きを設けてもよい。
【００８３】
つまり、雌ネジ部１７ｃをフィルタリング１２の内周面側に露出させることができる構成であれば、形状は開口に限定されるものではない。
【００８４】
（Ｄ）
上記実施形態では、ネジを用いることなくベース部材側に固定される被固定部材として、フィルタリング１２を例として挙げて説明した。しかし、本開示はこれに限定されるものではない。
【００８５】
例えば、レンズ鏡筒に含まれる他の部品に対して、本開示に係る構造を適用してもよい。
【００８６】
（Ｅ）
上記実施形態では、フィルタリング押さえ１１の緩み止め機能およびストッパ機能を有する突起１７ｅ、突起１７ｆが、ＯＩＳベース枠１７における異なる壁部１７ｂに設けられた例を挙げて説明した。しかし、本開示はこれに限定されるものではない。
【００８７】
例えば、緩み止め機能およびストッパ機能を有する２つの突起が、同じ壁部に設けられていてもよい。
【００８８】
この場合には、それぞれの壁部に２つの突起が設けられており、かつネジの位相を１２０度等分に配置することで、上記実施形態と同様に、フィリタリング押さえを取り付けることができる。
【００８９】
（Ｆ）
上記実施形態では、フィルタリング押さえ１１の外周面に、周方向においてほぼ等間隔に３つの雄ネジ部１１ｂが形成された例を挙げて説明した。しかし、本開示はこれに限定されるものではない。
【００９０】
例えば、フィルタリング押さえに形成される雄ネジ部は、外周面の全周に形成されていてもよい。
【００９１】
この場合には、それぞれの壁部１７ｂに突起、ネジを設けて、壁部１７ｂの形状を同一にし、周方向に均等に配置することで、フィルタリング押さえ１１は複数の位置で容易に組み立てることができる。例えば、周方向に３等分した位置に壁部１７ｂを配置すると、フィルタリング押さえ１１は１２０度毎に組み立てることができる。
【００９２】
（Ｇ）
上記実施形態では、ＯＩＳベース枠１７の内周側に、周方向においてほぼ等間隔に３つの雌ネジ部１７ｃが形成された例を挙げて説明した。しかし、本開示はこれに限定されるものではない。
【００９３】
例えば、ＯＩＳベース枠１７に形成される雌ネジ部は、周方向においてつながった１つの壁部の内周面の全周に形成されていてもよい。
【００９４】
あるいは、ＯＩＳベース枠１７に形成される雌ネジ部は、周方向においてつながった１つの壁部の内周面において、周方向において所定の間隔を介して複数箇所に形成されていてもよい。
【００９５】
（Ｈ）
上記実施形態では、フィルタリング押さえ１１のねじ込み方向におけるストッパとして機能する突起１１ｅ，１７ｆを用いた例を挙げて説明した。しかし、本開示はこれに限定されるものではない。
【００９６】
例えば、上記他の実施形態（Ａ）で説明した樹脂製の部品の弾性変形を利用して、挿入時に弾性変形させながら挿入して所定の固定箇所において係止される構造においても、同様に適用が可能である。
【００９７】
（Ｉ）
上記実施形態では、フィルタリング１２をＯＩＳベース枠１７に対して固定するフィルタリング押さえ１１を、ＯＩＳベース枠１７に対してネジ止めする構成を例として挙げて説明した。しかし、本開示はこれに限定されるものではない。
【００９８】
例えば、ネジの代わりに、周方向に沿って形成された壁部を用いてもよい。
【産業上の利用可能性】
【００９９】
本開示のレンズ鏡筒は、径方向における寸法を小さくすることができるという効果を奏することから、各種レンズ鏡筒に対して広く適用可能である。
【符号の説明】
【０１００】
１０    レンズ鏡筒
１１    フィルタリング押さえ（環状部材）
１１ａ    本体部
１１ｂ    雄ネジ部（第１係止部）
１１ｃ    ネジ非形成部
１１ｄ    突起（第１突起）
１１ｅ    突起（第３突起）
１１ｆ    端面
１２    フィルタリング（被固定部材）
１２ａ    本体部
１２ｂ    内周凸部（凸部）
１２ｃ    開口部（開口部）
１３    防塵リング
１４    前枠
１５    １ａ群レンズ枠
１６    １ｂ群レンズ枠
１７    ＯＩＳベース枠（ベース部材）
１７ａ    本体部
１７ａｂ    開口
１７ｂ    壁部
１７ｃ    雌ネジ部（第２係止部）
１７ｄ    載置部
１７ｄａ    孔部
１７ｅ    突起（第２突起）
１７ｆ    突起（第４突起）
１８    ＯＩＳ回動軸
１９    ＯＩＳバネ
２０    ＯＩＳボール
２１    ＯＩＳレンズ枠
２２    ＯＩＳマグネット
２３    絞りユニット
２３ａ    コイル
２４    固定枠
２５    フォーカスリング
２６    後枠
Ｌ１    第１レンズ
Ｌ２    第２レンズ
Ｌ３    第３レンズ
Ｌ４    第４レンズ
Ｌ５    第５レンズ
Ｌ６    第６レンズ
Ｘ    光軸
【図１】
0006500240.tif 000002
【図２】
0006500240.tif 000003
【図３】
0006500240.tif 000004
【図４】
0006500240.tif 000005
【図５Ａ】
0006500240.tif 000006
【図５Ｂ】
0006500240.tif 000007
【図６Ａ】
0006500240.tif 000008
【図６Ｂ】
0006500240.tif 000009
【図７】
0006500240.tif 000010
【図８Ａ】
0006500240.tif 000011
【図８Ｂ】
0006500240.tif 000012
【図９Ａ】
0006500240.tif 000013
【図９Ｂ】
0006500240.tif 000014